(57)【要約】【課題】外部制御機能を備えた電源装置に、スイッチング動作の停止と再開を繰り返す保護動作を行わせることを可能にする。【解決手段】第１の電圧とこの第１の電圧より高い電圧値である第２の電圧を一定の周期で交互に出力するパルス発生回路と、電源装置の出力電圧と所定の閾値電圧とを比較し、当該比較の結果に基づいて第１の電圧又は第２の電圧を出力する出力電圧検出回路と、パルス発生回路の出力を第１の入力信号とし、出力電圧検出回路の出力を第２の入力信号として論理演算を行い、前記電源装置に与える制御信号を生成する論理回路とにより、電源装置に保護動作を行わせる補助回路を構成する。【選択図】図１
2014155246.tif 000002
【特許請求の範囲】
【請求項１】
外部制御端子に入力される信号に基づいて動作を停止する機能を備えた電源装置に外付けされる電源装置の補助回路であって、
第１の電圧と当該第１の電圧より高い電圧値である第２の電圧を一定の周期で交互に出力するパルス発生回路と、
前記電源装置の出力電圧と所定の閾値電圧とを比較し、当該比較の結果に基づいて前記第１の電圧又は前記第２の電圧を出力する出力電圧検出回路と、
前記パルス発生回路の出力を第１の入力信号とし、前記出力電圧検出回路の出力を第２の入力信号として論理演算を行い、前記電源装置に与える制御信号を生成する論理回路とを備え、
前記論理回路は、前記第１の入力信号の電圧値と前記第２の入力信号の電圧値とが所定の組合せになったときに、前記制御信号により前記電源装置の動作を停止させることができるように構成されている電源装置の補助回路。
【請求項２】
外部制御端子に入力される信号に基づいて動作を停止する機能を備えた電源装置に外付けされる電源装置の補助回路であって、
第１の電圧と当該第１の電圧より高い電圧値である第２の電圧を一定の周期で交互に出力するパルス発生回路と、
前記電源装置の入力電流と所定の第１の電流値とを比較し、又は前記源装置の出力電流と所定の第２の電流値とを比較し、当該比較の結果に基づいて前記第１の電圧又は前記第２の電圧を出力する出力電圧検出回路と、
前記出力電圧検出回路の出力される信号の立ち上がり又は立ち下がりに同期して出力信号の電圧値が前記第１の電圧又は前記第２の電圧に移行するパルス出力回路と、
前記パルス発生回路の出力を第１の入力信号とし、前記パルス出力回路の出力を第３の入力信号として論理演算を行い、前記電源装置に与える制御信号を生成する論理回路とを備え、
前記論理回路は、前記第１の入力信号の電圧値と前記第３の入力信号の電圧値とが所定の組合せになったときに、前記制御信号により前記電源装置の動作を停止させることができるように構成されている電源装置の補助回路。
【請求項３】
前記パルス発生回路から出力される信号が前記第１の電圧に維持されている期間に前記電源装置が動作を停止するように前記論理回路が構成されている場合は、前記パルス発生回路から出力される信号が前記第２の電圧に維持されている期間を前記電源装置が起動するためにかかる時間よりも長くし、前記パルス発生回路から出力される信号が前記第２の電圧に維持されている期間に前記電源装置が動作を停止するように前記論理回路が構成されている場合は、前記パルス発生回路から出力される信号が前記第１の電圧に維持されている期間を前記電源装置が起動するためにかかる時間よりも長くした請求項１又は２に記載の電源装置の補助回路。
【請求項４】
請求項１乃至３のいずれか１項に記載の電源装置の補助回路と、電源装置を備えた電源回路。
【発明の詳細な説明】
【技術分野】
【０００１】
制御入力端子を備えた電源装置の動作を制御するための補助回路に関し、特に、電源装置が過電流状態になったときに当該電源装置を断続的に動作させるための補助回路に関する。
【先行技術文献】
【特許文献】
【０００２】
電源装置が過負荷状態になったときの保護回路としては、種々の方式がある。例えば、特許文献１には、過電流状態になったときに（過電流が流れたときに）、スイッチング動作の停止と再開を繰り返す電源装置が開示されている。この電源装置では、過電流状態から脱するまで、制御ＩＣの動作を一旦停止させ、その後、再起動させるという制御が続けられる。
【０００３】
また、特許文献２には、過電流状態になったときに、スイッチング動作をラッチ停止する電源装置が開示されている。さらに、この電源装置は、ラッチ停止を解除する信号を与えられたときに再起動する。従って、この電源装置がラッチ停止したときにラッチ停止を解除する信号を与える外付け回路を、この電源装置に加えれば、スイッチング動作の停止と再開を繰り返す保護動作を行わせることができる。
【特許文献１】特開平５−７６１７０
【特許文献２】特開２００３−１６９４７１
【発明の概要】
【発明が解決しようとする課題】
【０００４】
特許文献２のように、スイッチング動作の停止と再開を繰り返す保護動作を行う機能を備えていない電源装置で、この保護動作を行わせたい場合がある。また、特許文献２のようにして、この保護動作を実現する場合には、ラッチ停止を解除する信号を与えられたときに再起動する機能（ラッチ停止解除機能）を備えた電源装置を用いなければならない。
【０００５】
しかしながら、このラッチ停止解除機能を備えていない電源装置が多数存在し、それらの電源装置においても、スイッチング動作の停止と再開を繰り返す保護動作を実現したい場合がある。例えば、一般的な電源装置が備えている外部制御機能（外部から与えられる制御信号に基づいてスイッチング動作を停止させる機能）を用いて、この保護動作を実現したい場合がある。
【０００６】
本発明は、この課題を解決するためになされたものであり、外部制御機能を備えた電源装置に、スイッチング動作の停止と再開を繰り返す保護動作を行わせるための補助回路を提供することを目的とする。
【課題を解決するための手段】
【０００７】
上記目的を達成すべく、本発明に係る電源装置の補助回路は、外部制御端子に入力される信号に基づいて動作を停止する機能を備えた電源装置に外付けされる電源装置の補助回路であって、第１の電圧と当該第１の電圧より高い電圧値である第２の電圧を一定の周期で交互に出力するパルス発生回路と、前記電源装置の出力電圧と所定の閾値電圧とを比較し、当該比較の結果に基づいて前記第１の電圧又は前記第２の電圧を出力する出力電圧検出回路と、前記パルス発生回路の出力を第１の入力信号とし、前記出力電圧検出回路の出力を第２の入力信号として論理演算を行い、前記電源装置に与える制御信号を生成する論理回路とを備え、前記論理回路は、前記第１の入力信号の電圧値と前記第２の入力信号の電圧値とが所定の組合せになったときに、前記制御信号により前記電源装置の動作を停止させることができるように構成されている。
【０００８】
前記外部制御端子に入力される信号の電圧が前記第２の電圧（Ｈレベル）のときに動作を停止する前記電源装置を用いた場合、前記論理回路は以下のように構成することができる。前記電源装置の出力電圧が前記所定の閾値電圧より低いときに前記出力電圧検出回路が前記第２の電圧（Ｈレベル）を出力し、前記パルス発生回路から出力される信号が前記第２の電圧（Ｈレベル）に維持されている期間を、前記電源装置を停止させる期間に対応させる場合、前記論理回路は論理積の論理演算を行うように構成される。つまり、前記第１の入力信号と前記第２の入力信号の双方が前記第２の電圧（Ｈレベル）という組合せになったとき、前記電源装置の動作を停止させるように論理回路は構成される。
【０００９】
又、本発明に係る電源装置の補助回路は、外部制御端子に入力される信号に基づいて動作を停止する機能を備えた電源装置に外付けされる電源装置の補助回路であって、第１の電圧と当該第１の電圧より高い電圧値である第２の電圧を一定の周期で交互に出力するパルス発生回路と、前記電源装置の入力電流と所定の第１の電流値とを比較し、又は前記源装置の出力電流と所定の第２の電流値とを比較し、当該比較の結果に基づいて前記第１の電圧又は前記第２の電圧を出力する出力電圧検出回路と、前記出力電圧検出回路の出力される信号の立ち上がり又は立ち下がりに同期して出力信号の電圧値が前記第１の電圧又は前記第２の電圧に移行するパルス出力回路と、前記パルス発生回路の出力を第１の入力信号とし、前記パルス出力回路の出力を第３の入力信号として論理演算を行い、前記電源装置に与える制御信号を生成する論理回路とを備え、前記論理回路は、前記第１の入力信号の電圧値と前記第３の入力信号の電圧値とが所定の組合せになったときに、前記制御信号により前記電源装置の動作を停止させることができるように構成されている。
【００１０】
又、前記パルス発生回路から出力される信号が前記第１の電圧に維持されている期間に前記電源装置が動作を停止するように前記論理回路が構成されている場合は、前記パルス発生回路から出力される信号が前記第２の電圧に維持されている期間を前記電源装置が起動するためにかかる時間よりも長くし、前記パルス発生回路から出力される信号が前記第２の電圧に維持されている期間に前記電源装置が動作を停止するように前記論理回路が構成されている場合は、前記パルス発生回路から出力される信号が前記第１の電圧に維持されている期間を前記電源装置が起動するためにかかる時間よりも長くする。
【００１１】
又、本発明に係る電源回路は、上記いずれかの電源装置の補助回路と、電源装置を備える。
【発明の効果】
【００１２】
パルス信号を出力するパルス発生回路と、過電流状態や過負荷状態を検出する検出回路と、パルス発生回路から出力されるパルス信号と検出回路から出力される検出信号を入力信号として論理演算を行う論理回路とからなる補助回路を構成することにより、外部制御機能を備えた電源装置に、スイッチング動作の停止と再開を繰り返す保護動作を行わせることができる。
【図面の簡単な説明】
【００１３】
【図１】第１の実施例に係る電源装置の補助回路の構成を示したブロック回路である。
【図２】第１の実施例に係る電源装置の補助回路の動作を説明するためのタイミングチャートである。
【図３】第２の実施例に係る電源装置の補助回路の構成を示したブロック回路である。
【図４】第３の実施例に係る電源装置の補助回路の構成を示したブロック回路である。
【図５】第４の実施例に係る電源装置の補助回路の構成を示したブロック回路である。
【図６】第５の実施例に係る電源装置の補助回路の構成を示したブロック回路である。
【図７】第５の実施例に係る電源装置の補助回路の動作を説明するためのタイミングチャートである。
【図８】第５の実施例に係る電源装置の補助回路の構成を示したブロック回路である。
【図９】出力電圧検出回路の一例を示した回路図である。
【図１０】ＡＮＤ（論理積）回路の一例を示した回路図である。
【発明を実施するための形態】
【００１４】
以下、本発明に係る電源装置の補助回路を、図面を参照して説明する。尚、この補助回路は、外部制御端子（外部制御機能）を備えた電源装置であれば、ＡＣ（交流）入力ＤＣ(直流)出力の電源装置であっても、ＤＣ入力ＤＣ出力の電源装置であっても用いることができる。また、外部制御端子は、電源装置に起動又は停止を指示する信号を入力するための端子であり、電源装置は、この外部制御端子に入力される信号の電圧値に基づいて動作する。
【実施例１】
【００１５】
図１は、本発明に係る補助回路を外付け回路として実装した電源回路のブロック図である。このブロック図において、電源装置１は、入力端子（＋Ｖｉｎｎ，−Ｖｉｎ）、出力端子（＋Ｖｏｕｔ，−Ｖｏｕｔ）及び外部制御端子（ＣＴＬ）を備えている。そして、入力端子には入力電圧Ｖｉｎが入力され、出力端子には負荷２が接続されている。尚、＋Ｖｉｎは、高電位側の入力端子であり、−Ｖｉｎは低電位側の入力端子であり、＋Ｖｏｕｔは高電位側の出力端子であり、−Ｖｏｕｔは低電位側の出力端子である。この電源装置１は、外部制御端子（ＣＴＬ）に、−Ｖｉｎの入力端子の電位である基準電位が印加されているときはスイッチング動作を行うが、この基準電位よりも高い所定電圧が印加されたときはスイッチング動作を停止する。つまり、外部制御端子（ＣＴＬ）に基準電位よりも高い所定電圧を印加することにより、電源装置１を強制的に停止させることができる。
【００１６】
以下の説明においては、信号の電圧値が−Ｖｉｎの入力端子の電位である基準電位と等しいときをＬレベルといい、信号の電圧値がこの基準電位よりも高い所定の電圧値であるときをＨレベルという。
【００１７】
補助回路１０は、出力電圧検出回路１１、パルス発生回路１２及びＡＮＤ（論理積）回路１３で構成されている。ＡＮＤ回路１３には、出力電圧検出回路１１から出力される検出信号Ｓ１とパルス発生回路１２から出力されるパルス信号Ｓ２が入力される。そして、ＡＮＤ回路１３は、検出信号Ｓ１とパルス信号Ｓ２に基づいて制御信号Ｓ３を出力する。この制御信号Ｓ３は、電源装置１の外部制御端子（ＣＴＬ）に入力される。
【００１８】
出力電圧検出回路１１は、電源装置１から出力される出力電圧Ｖｏｕｔに基づいた検出信号Ｓ１を出力する。この出力電圧検出回路１１は、出力電圧Ｖｏｕｔが所定の閾値電圧（Ｖｒｅｆ）以上のときには検出信号Ｓ１がＬレベルになり、出力電圧Ｖｏｕｔが所定の閾値電圧（Ｖｒｅｆ）未満のときには検出信号Ｓ１がＨレベルになるように構成されている。
【００１９】
パルス発生回路１２は、ＬレベルからＨレベルへの移行とＨレベルからＬレベルへの移行を周期的に繰り返すパルス信号Ｓ２を出力する。尚、パルス信号Ｓ２がＬレベルに維持される期間は、電源装置１が起動するためにかかる時間（スイッチング動作を開始後、出力電圧Ｖｏｕｔが閾値電圧（Ｖｒｅｆ）に達するまでの時間）よりも長くなるように設定される。又、パルス信号Ｓ２がＨレベルに維持される期間は、電源装置１が断続的な動作になったときに電源装置１のスイッチング動作が停止している期間に対応する。従って、パルス信号Ｓ２がＨレベルに維持される期間を長くすると、電源装置１がスイッチング動作を停止している期間が長くなる。
【００２０】
ＡＮＤ回路１３は、論理積の論理演算を行う論理回路である。このＡＮＤ回路１３は、２つの入力信号が共にＨレベルのときだけＨレベルを出力し、２つの入力信号のうちの少なくとも一方がＬレベルのときはＬレベルを出力する。つまり、ＡＮＤ回路１３から出力される制御信号Ｓ３は、検出信号Ｓ１とパルス信号Ｓ２の双方がＨレベルときはＨレベルになり、検出信号Ｓ１とパルス信号Ｓ２のうちの少なくとも一方がＬレベルのときにはＬレベルになる。
【００２１】
電源装置１の外部制御端子（ＣＴＬ）には、この制御信号Ｓ３が入力されるので、この制御信号Ｓ３がＨレベルの期間（検出信号Ｓ１とパルス信号Ｓ２の双方がＨレベルの期間）、電源装置１は動作を停止する。検出信号Ｓ１がＨレベルの期間は、出力電圧ＶｏｕｔがＶｒｅｆ未満になっている期間に対応する。従って、出力電圧ＶｏｕｔがＶｒｅｆ未満になっている期間において、パルス信号Ｓ２がＨレベルになったとき、電源装置１はスイッチング動作を停止する。この出力電圧ＶｏｕｔがＶｒｅｆ未満になっている期間において、パルス信号Ｓ２がＨレベルからＬレベルに移行したとき、電源装置１の停止状態は解除され、電源装置１は起動を開始する。しかし、パルス信号Ｓ２がＬレベルの期間内に出力電圧ＶｏｕｔがＶｒｅｆ以上の電圧値に到達できなかったときは、パルス信号Ｓ２がＬレベルからＨレベルに移行し、電源装置１は再びスイッチング動作を停止する。
【００２２】
次に、本発明に係る補助回路を外付け回路として実装した電源回路の動作を図２に示したタイミングチャートを参照して説明する。図２には、出力電圧Ｖｏｕｔ、検出信号Ｓ１、パルス信号Ｓ２及び制御信号Ｓ３の電圧波形が示されている。
【００２３】
＜ｔ０からｔ１までの動作＞
ｔ０において、電源装置１は起動する（スイッチング動作を開始する）。このとき、出力電圧Ｖｏｕｔが閾値電圧（Ｖｒｅｆ）未満なので、検出信号Ｓ１はＨレベルになっている。従って、パルス信号Ｓ２がＬレベルになっているときに電源装置１は起動を開始する。つまり、検出信号Ｓ１がＨレベルであっても、パルス信号Ｓ２がＬレベルになれば、制御信号Ｓ３がＬレベルになるため、電源装置１はパルス信号Ｓ２がＬレベルになっている期間においてスイッチング動作を開始する。
【００２４】
電源装置１がスイッチング動作を開始することにより、出力電圧Ｖｏｕｔが上昇していき、ｔ１において、出力電圧Ｖｏｕｔが閾値電圧（Ｖｒｅｆ）に到達する。そして、出力電圧Ｖｏｕｔが閾値電圧（Ｖｒｅｆ）に到達することにより、検出信号Ｓ１がＨレベルからＬレベルに移行する。尚、パルス信号Ｓ２がＬレベルに維持されている期間Ｔ１は、起動から出力電圧Ｖｏｕｔが閾値電圧（Ｖｒｅｆ）に到達するまでの時間（ｔ０からｔ１までの時間）よりも長くなるように設定される。また、この期間Ｔ１は、電源装置１が過電流状態になったときに、その状態で動作をし続けている期間に対応する。従って、この期間Ｔ１は、電源装置１が耐えられる範囲内で設定する必要がある。
【００２５】
＜ｔ１からｔ２までの動作＞
ｔ１からｔ２までの期間においては、出力電圧Ｖｏｕｔが閾値電圧（Ｖｒｅｆ）以上になっているため、検出信号Ｓ１はＬレベルに維持される。検出信号Ｓ１がＬレベルに維持されているため、パルス信号Ｓ２がＨレベルになっても、制御信号Ｓ３はＬレベルに維持される。従って、電源装置１はスイッチング動作を継続する。
【００２６】
＜ｔ２からｔ３までの動作＞
短絡等により出力電圧Ｖｏｕｔが降下し、ｔ２において、出力電圧Ｖｏｕｔが閾値電圧（Ｖｒｅｆ）未満になる。出力電圧Ｖｏｕｔが閾値電圧（Ｖｒｅｆ）未満になることにより、検出信号Ｓ１がＬレベルからＨレベルに移行する。ｔ２からｔ３までの期間においては、パルス信号Ｓ２がＬレベルに維持されているため、検出信号Ｓ１がＬレベルからＨレベルに移行しても、制御信号Ｓ３はＬレベルに維持され、電源装置１はスイッチング動作を継続する。
【００２７】
＜ｔ３からｔ４までの動作＞
ｔ３において、パルス信号Ｓ２がＬレベルからＨレベルに移行する。このとき、検出信号Ｓ１がＨレベルになっているため、パルス信号Ｓ２の立ち上がりに同期して、制御信号Ｓ３もＬレベルからＨレベルに移行する。制御信号Ｓ３がＨレベルになるため、電源装置１はスイッチング動作を停止する。
【００２８】
＜ｔ４からｔ５までの動作＞
ｔ４において、パルス信号Ｓ２がＨレベルからＬレベルに移行する。このとき、検出信号Ｓ１はＨレベルに維持されているがパルス信号Ｓ２がＬレベルになるため、パルス信号Ｓ２の立ち下がりに同期して、制御信号Ｓ３もＨレベルからＬレベルに移行する。制御信号Ｓ３がＬレベルになるため、電源装置１はスイッチング動作を開始する。
【００２９】
しかし、電源装置１は短絡等の状態から脱していないため、ｔ４からｔ５までの期間おいては、出力電圧Ｖｏｕｔが閾値電圧（Ｖｒｅｆ）に到達することができない。従って、検出信号Ｓ１はＨレベルに維持されている。
【００３０】
＜ｔ５からｔ６までの動作＞
ｔ５において、パルス信号Ｓ２がＬレベルからＨレベルに移行する。このとき、検出信号Ｓ１がＨレベルに維持されているため、パルス信号Ｓ２の立ち上がりに同期して、制御信号Ｓ３もＬレベルからＨレベルに移行する。制御信号Ｓ３がＨレベルになるため、電源装置１はスイッチング動作を停止する。
【００３１】
＜ｔ６からｔ７までの動作＞
ｔ６において、パルス信号Ｓ２がＨレベルからＬレベルに移行する。このとき、検出信号Ｓ１はＨレベルに維持されているがパルス信号Ｓ２がＬレベルになるため、パルス信号Ｓ２の立ち下がりに同期して、制御信号Ｓ３もＨレベルからＬレベルに移行する。制御信号Ｓ３がＨレベルになるため、電源装置１はスイッチング動作を開始する。
【００３２】
電源装置１は短絡等の状態から脱しているため、出力電圧Ｖｏｕｔが上昇を開始し、ｔ７において、出力電圧Ｖｏｕｔが閾値電圧（Ｖｒｅｆ）に到達する。
出力電圧Ｖｏｕｔが閾値電圧（Ｖｒｅｆ）に到達することにより、検出信号Ｓ１がＨレベルからＬレベルに移行する。検出信号Ｓ１がＨレベルからＬレベルに移行するため、この後、パルス信号Ｓ２がＨレベルになっても、制御信号Ｓ３はＬレベルに維持される。
【００３３】
以上に説明したように、短絡等により出力電圧Ｖｏｕｔが閾値電圧（Ｖｒｅｆ）未満になったとき、電源装置１はスイッチング動作の停止と再開を繰り返す。この動作は、短絡等の状態から脱するまで継続される。そして、短絡等の状態から脱して、パルス信号Ｓ２がＬレベルに維持されている期間Ｔ１において、出力電圧Ｖｏｕｔが閾値電圧（Ｖｒｅｆ）に到達できたときに電源装置１は通常の動作に戻る。
【実施例２】
【００３４】
図３は、実施例２に係る電源回路のブロック図である。実施例２では、外部制御端子（ＣＴＬ）に入力される制御信号がＬレベルときにスイッチング動作を停止し、制御信号がＨレベルになったときにスイッチング動作を再開する電源装置１’を用いている。この場合、図１の補助回路１０に対応する補助回路１０’においては、ＡＮＤ（論理積）回路１３がＮＡＮＤ（否定論理積）回路１３に置き換えられている。ＮＡＮＤ（否定論理積）回路１３から出力される制御信号Ｓ４は、制御信号３を反転させた信号になるため、実施例２に係る電源回路は、実施例１に係る電源回路と同様に動作する。
【００３５】
つまり、図２において、制御信号３が、制御信号３を反転させた信号である制御信号Ｓ４に変わるだけで、電源装置１’がスイッチング動作を行っている期間と停止している期間は全く同じになる。例えば、ｔ０からｔ３までの期間においては、制御信号Ｓ４はＨレベルになるので、電源装置１’はスイッチング動作を行う。又、ｔ３からｔ４までの期間においては、制御信号Ｓ４がＬレベルになるので、電源装置１’はスイッチング動作を停止する。
【実施例３】
【００３６】
図４は、実施例３に係る電源回路のブロック図である。この電源回路では、外部制御信号Ｓ５により、電源装置１を強制的に停止させることができるようにするため、ＯＲ（論理和）回路１５が追加されている。
【００３７】
ＯＲ（論理和）回路１５の一方の入力端子には制御信号Ｓ３が入力され、他方の入力端子には外部制御信号Ｓ５が入力される。そして、ＯＲ（論理和）回路１５から出力される論理和信号Ｓ６が電源装置１の外部制御端子（ＣＴＬ）に入力される。
【００３８】
論理和信号Ｓ６は、外部制御信号Ｓ５がＨレベルのとき、制御信号Ｓ３がＨレベルであるか、又はＬレベルであるかに関わらずＨレベルになる。従って、外部制御信号Ｓ５をＨレベルにすることにより、電源装置１を強制的に停止させることができる。
【実施例４】
【００３９】
図５は、実施例４に係る電源回路のブロック図である。この電源回路では、電源装置１と電源装置３の出力端子が負荷２に対して並列に接続されている。そして、制御信号Ｓ３は電源装置３の外部制御端子（ＣＴＬ）にも入力されている。このようにすれば、電源装置３を電源装置１と同様に動作させることができる。つまり、短絡等により出力電圧Ｖｏｕｔが降下したときに、電源装置１と電源装置３の双方がスイッチング動作の停止と再開を繰り返す。
【実施例５】
【００４０】
図６は、実施例５に係る電源回路のブロック図である。この電源回路では、出力電圧検出回路１１がフリップフロップ回路１６及び過電流検出回路１７に置き換えられている。過電流検出回路１７から出力される過電流検出信号Ｓ７は、出力電流Ｉｏｕｔが所定の電流値（Ｉｒｅｆ１）以上になったときにＨレベルになる。フリップフロップ回路１６は、セット入力端子（Ｓ）に入力される信号の立ち上がりに同期してセットされ、リセット入力端子（Ｒ）に入力される信号の立ち下がりに同期してリセットされる。
【００４１】
フリップフロップ回路１６のセット入力端子（Ｓ）には、過電流検出信号Ｓ７が入力されているため、過電流検出信号Ｓ７がＬレベルからＨレベルに移行するとき、つまり、出力電流ＩｏｕｔがＩｒｅｆ１以上になったときに、フリップフロップ回路１６の出力端子（Ｑ）から出力される出力信号Ｓ８はＬレベルからＨレベルに移行する。そして、フリップフロップ回路１６のリセット入力端子（Ｒ）には、パルス信号Ｓ２が入力されているため、パルス信号Ｓ２がＨレベルからＬレベルに移行するときに、出力信号Ｓ８はＨレベルからＬレベルに移行する。
【００４２】
次に、本実施例に係る電源回路の動作を図７に示したタイミングチャートを参照して説明する。図７には、出力電圧Ｖｏｕｔ、フリップフロップ回路１６から出力される出力信号Ｓ８、パルス信号Ｓ２及び制御信号Ｓ３の電圧波形が示されている。尚、ｔ０からｔ２までの期間の動作は実施例１の場合と同様であるため、ｔ２からｔ７までの期間の動作についてタイミングチャートを参照して説明する。
【００４３】
＜ｔ２からｔ３までの動作＞
短絡等により出力電流Ｉｏｕｔが増加し、ｔ２において、出力電流ＩｏｕｔがＩｒｅｆ１以上になる。出力電流ＩｏｕｔがＩｒｅｆ１以上になることにより、過電流検出信号Ｓ７がＬレベルからＨレベルに移行し、この過電流検出信号Ｓ７の立ち上がりに同期してフリップフロップ回路１６から出力される出力信号Ｓ８がＬレベルからＨレベルに移行する。ｔ２からｔ３までの期間においては、パルス信号Ｓ２がＬレベルに維持されているため、出力信号Ｓ８がＬレベルからＨレベルに移行しても、電源装置１はスイッチング動作を継続する。
【００４４】
＜ｔ３からｔ４までの動作＞
ｔ３において、パルス信号Ｓ２がＬレベルからＨレベルに移行する。このとき、出力信号Ｓ８がＨレベルに維持されているため、パルス信号Ｓ２の立ち上がりに同期して、制御信号Ｓ３もＬレベルからＨレベルに移行する。制御信号Ｓ３がＨレベルになるため、電源装置１はスイッチング動作を停止する。
【００４５】
＜ｔ４からｔ５までの動作＞
ｔ４において、パルス信号Ｓ２がＨレベルからＬレベルに移行し、このパルス信号Ｓ２の立ち下がりに同期して出力信号Ｓ８もＨレベルからＬレベルに移行する。更に、制御信号Ｓ３も、パルス信号Ｓ２の立ち下がりに同期して、ＨレベルからＬレベルに移行する。制御信号Ｓ３がＬレベルになるため、電源装置１はスイッチング動作を開始する。
【００４６】
しかし、電源装置１は短絡等の状態から脱していないため、ｔ４’において過電流検出信号Ｓ７がＬレベルからＨレベルに移行し、この過電流検出信号Ｓ７の立ち上がりに同期してフリップフロップ回路１６から出力される出力信号Ｓ８がＬレベルからＨレベルに移行する。
【００４７】
＜ｔ５からｔ６までの動作＞
ｔ５において、パルス信号Ｓ２がＬレベルからＨレベルに移行する。このとき、フリップフロップ回路１６から出力される出力信号Ｓ８がＨレベルに維持されているため、パルス信号Ｓ２の立ち上がりに同期して、制御信号Ｓ３もＬレベルからＨレベルに移行する。制御信号Ｓ３がＨレベルになるため、電源装置１はスイッチング動作を停止する。
【００４８】
＜ｔ６からｔ７までの動作＞
ｔ６において、パルス信号Ｓ２がＨレベルからＬレベルに移行し、このパルス信号Ｓ２の立ち下がりに同期して出力信号Ｓ８もＨレベルからＬレベルに移行する。更に、制御信号Ｓ３も、パルス信号Ｓ２の立ち下がりに同期して、ＨレベルからＬレベルに移行する。制御信号Ｓ３がＬレベルになるため、電源装置１はスイッチング動作を開始する。電源装置１は短絡等の状態から脱しているため、フリップフロップ回路１６から出力される出力信号Ｓ８がＬレベルに維持され、出力電圧Ｖｏｕｔが上昇していく。
【００４９】
以上に説明したように、短絡等により出力電流ＩｏｕｔがＩｒｅｆ１以上になったとき、電源装置１はスイッチング動作の停止と再開を繰り返す。この動作は、短絡等の状態から脱するまで継続される。そして、短絡等の状態から脱したときに電源装置１は通常の動作に戻る。
【実施例６】
【００５０】
図８は、実施例６に係る電源回路のブロック図である。本実施例の電源回路は、実施例５と同様な動作をするが、過電流検出回路１８が電源装置１の入力端子側に接続されている。
【００５１】
過電流検出回路１８から出力される過電流検出信号Ｓ９は、入力電流Ｉｉｎが所定の電流値（Ｉｒｅｆ２）以上になったときにＨレベルになる。フリップフロップ回路１６のセット入力端子（Ｓ）には、過電流検出信号Ｓ９が入力されているため、過電流検出信号Ｓ９がＬレベルからＨレベルに移行するとき、つまり、入力電流ＩｉｎがＩｒｅｆ２以上になったときに、フリップフロップ回路１６の出力端子（Ｑ）から出力される出力信号Ｓ１０はＬレベルからＨレベルに移行する。そして、フリップフロップ回路１６のリセット入力端子（Ｒ）には、パルス信号Ｓ２が入力されているため、パルス信号Ｓ２がＨレベルからＬレベルに移行するときに、出力信号Ｓ１０はＨレベルからＬレベルに移行する。この出力信号Ｓ１０は、実施例５の出力信号Ｓ８と同様な信号になるため、本実施例の電源回路は、実施例５と同様な動作をする
【００５２】
つまり、この電源回路では、短絡等により入力電流ＩｉｎがＩｒｅｆ２以上になったとき、電源装置１はスイッチング動作の停止と再開を繰り返す。この動作は、短絡等の状態から脱するまで継続される。そして、短絡等の状態から脱したときに電源装置１は通常の動作に戻る。
【００５３】
次に、出力電圧検出回路１１の一例を、図面を参照して説明する。図９は、出力電圧検出回路１１の一例を示した回路図である。この回路において、端子Ａは電源装置１の高電位側の出力端子（＋Ｖｏｕｔ）に接続され、端子Ｂは低電位側の出力端子（＋Ｖｏｕｔ）に接続される。従って、抵抗Ｒ３と抵抗Ｒ４からなる分圧回路の両端には出力電圧Ｖｏｕｔが印加される。抵抗Ｒ３と抵抗Ｒ４の接続点の電圧である分圧電圧は、シャントレギュレータ２２のリファレンス端子に印加される。抵抗Ｒ３と抵抗Ｒ４の抵抗値は、出力電圧Ｖｏｕｔが閾値電圧（Ｖｒｅｆ）以上になったときにシャントレギュレータ２２がオンするように設定されている。シャントレギュレータ２２がオンすると、抵抗Ｒ２を介してフォトカプラ２１の発光素子（入力側の半導体素子）に電流が流れる。
【００５４】
この回路では、フォトカプラ２１の出力側の端子と抵抗Ｒ１との接続点の電圧が検出信号Ｓ１に対応する。従って、フォトカプラ２１の出力側の半導体素子がオンすると、出信号Ｓ１の電圧は基準電位（Ｌレベル）になり、この半導体素子がオフすると、出信号Ｓ１の電圧は動作電圧Ｖｃｃ（Ｈレベル）になる。
【００５５】
この例では、出力電圧Ｖｏｕｔが閾値電圧（Ｖｒｅｆ）以上になったときにフォトカプラ２１の出力側の半導体素子がオンするように設定されているので、
出力電圧Ｖｏｕｔが閾値電圧（Ｖｒｅｆ）以上になったときに、出信号Ｓ１がＬレベルになる。一方、出力電圧Ｖｏｕｔが閾値電圧（Ｖｒｅｆ）未満のときには、フォトカプラ２１の出力側の半導体素子がオフしているため、出信号Ｓ１がＨレベルになる。
【００５６】
以上説明したように、本発明に係る電源装置の補助回路は、ＬレベルとＨレベルを一定の周期で交互に繰り返す信号であるパルス信号を出力するパルス発生回路と、出力電圧Ｖｏｕｔが閾値電圧（Ｖｒｅｆ）未満になったときにＨレベルになる検出信号を出力する出力電圧検出回路と、パルス信号と検出信号を入力信号として論理演算を行う論理回路により構成することができる。尚、論理回路は様々な構成が考えられ、本発明の目的を達成できれば、上記実施例以外の回路であってもよい。又、論理回路は論理演算に相当する動作をする回路であれば、トランジスタ等で構成された回路であってもよい。例えば、図１０に示したように、トランジスタＱ１１〜１４及び抵抗Ｒ１１〜１３で構成された回路であってもよい。この回路では、端子Ｘ及び端子ＹがＡＮＤ（論理積）回路の入力端子に対応し、端子ＺがＡＮＤ（論理積）回路の出力端子に対応している。端子Ｚの電圧は、トランジスタＱ１３及びトランジスタＱ１４の双方がオフしたときにだけＨレベルになる。トランジスタＱ１３は、トランジスタＱ１１がオンしたときにオフし、トランジスタＱ１４は、トランジスタＱ１２がオンしたときにオフする。従って、端子Ｘ及び端子Ｙの双方にＨレベルが印加されたときにだけ、端子Ｚの電圧がＨレベルになる。
【００５７】
又、出力電圧検出回路は、出力電圧Ｖｏｕｔが閾値電圧（Ｖｒｅｆ）未満になったときにＬレベルになる検出信号を出力する回路であっても、論理回路を変更することにより本発明の目的を達成することができる。
【００５８】
又、上記実施例では、出力電圧Ｖｏｕｔが閾値電圧（Ｖｒｅｆ）未満になった期間において、パルス信号がＬレベルであれば電源装置を動作させ、パルス信号がＨレベルであれば電源装置の動作を停止させたが、パルス信号がＨレベルであれば電源装置を動作させ、パルス信号がＬレベルであれば電源装置の動作を停止させるように変更してもよい。
【００５９】
又、出力電流Ｉｏｕｔが所定の電流値（Ｉｒｅｆ１）以上なったとき、又は入力電流Ｉｉｎが所定の電流値（Ｉｒｅｆ２）以上になったことを検出する過電流検出回路と、過電流検出回路がこのような過電流状態を検出したのに同期してパルスを出力するパルス出力回路を、出力電圧検出回路の代わりに用いれば、過電流状態になったときにも同様の動作をさせることができる。尚、過電流検出回路は、過電流状態を検出したときにＨレベルに移行する信号、又は過電流状態を検出したときにＬレベルに移行する信号を出力する回路であればよい。又、パルス出力回路は、過電流検出回路がこのような過電流状態を検出したのに同期して立ち上がるパルス、又はこのような過電流状態を検出したのに同期して立ち下がるパルスを出力する回路、例えば、フリップフロップ回路やラッチ回路であればよい。
【符号の説明】
【００６０】
１  電源装置
２  負荷
１１  出力電圧検出回路
１２  パルス発生回路
１３  ＡＮＤ（論理積）回路
１４  ＮＡＮＤ（否定論理積）回路
１５  ＯＲ（論理和）回路
１６  フリップフロップ回路
１７  過電流検出回路
１８  過電流検出回路
【図２】
2014155246.tif 000003
【図７】
2014155246.tif 000004
【図９】
2014155246.tif 000005
【図１０】
2014155246.tif 000006
【図１】
2014155246.tif 000007
【図３】
2014155246.tif 000008
【図４】
2014155246.tif 000009
【図５】
2014155246.tif 000010
【図６】
2014155246.tif 000011
【図８】
2014155246.tif 000012